(57)【要約】【課題】より詳細な紫外線情報をユーザが容易に得ることができる紫外線情報提供システム及び紫外線情報提供プログラムを提供することである。【解決手段】日時情報と、場所情報と、紫外線強度情報と、を対応付けて記憶する記憶部と、外部と通信を行う通信部と、通信部を介して入力された紫外線問合せ情報に対応付けられた紫外線強度情報を算出する第一算出部と、第一算出部の算出結果を用いて方向特定紫外線強度情報を算出する第二算出部と、を備え、通信部は、紫外線問合せ情報の送信元に対し、第二算出部が算出した方向特定紫外線強度情報を送信する。【選択図】図１
2019211883.tif 000002
【特許請求の範囲】
【請求項１】
日時に関する情報である日時情報と、場所に関する情報である場所情報と、前記日時情報で示される日時及び前記場所情報で示される場所における紫外線強度に関する情報である紫外線強度情報と、を対応付けて記憶する記憶部と、
外部と通信を行う通信部と、
前記通信部を介して入力された紫外線問合せ情報に対応付けられた前記紫外線強度情報を算出する第一算出部と、
前記第一算出部の算出結果を用いて方向特定紫外線強度情報を算出する第二算出部と、
を備え、
前記紫外線問合せ情報は、前記日時情報と、前記場所情報と、紫外線の照射を受ける照射面が向く方向を示す方向情報と、を含み、
前記方向特定紫外線強度情報は、前記日時情報で示される日時及び前記場所情報で示される場所における、前記方向情報で示される照射面が受ける紫外線の強度を含む情報であって、
前記通信部は、前記紫外線問合せ情報の送信元に対し、前記第二算出部が算出した前記方向特定紫外線強度情報を送信する、
ことを特徴とする紫外線情報提供システム。
【請求項２】
日時に関する情報である日時情報で示される日時及び場所に関する情報である場所情報で示される場所における紫外線強度に関する情報である紫外線強度情報を算出する第一算出部と、
前記日時情報と、前記場所情報と、前記第一算出部が算出した前記紫外線強度情報と、を対応付けて記憶する記憶部と、
外部と通信を行う通信部と、
前記通信部を介して入力された紫外線問合せ情報に対応付けられた前記紫外線強度情報を前記記憶部から抽出する抽出部と、
前記抽出部が抽出した前記紫外線強度情報を用いて方向特定紫外線強度情報を算出する第二算出部と、
を備え、
前記紫外線問合せ情報は、前記日時情報と、前記場所情報と、紫外線の照射を受ける照射面が向く方向を示す方向情報と、を含み、
前記方向特定紫外線強度情報は、前記日時情報で示される日時及び前記場所情報で示される場所における、前記方向情報で示される照射面が受ける紫外線の強度を含む情報であって、
前記通信部は、前記紫外線問合せ情報の送信元に対し、前記第二算出部が算出した前記方向特定紫外線強度情報を送信する、
ことを特徴とする紫外線情報提供システム。
【請求項３】
日時に関する情報である日時情報と、場所に関する情報である場所情報と、前記日時情報で示される日時及び前記場所情報で示される場所における紫外線強度に関する情報である紫外線強度情報と、を対応付けて記憶する記憶部と、
外部と通信を行う通信部と、
前記通信部を介して入力された紫外線問合せ情報に対応付けられた前記紫外線強度情報を算出する第一算出部と、
を備え、
前記紫外線問合せ情報は、前記日時情報と、前記場所情報と、紫外線の照射を受ける照射面が向く方向を示す方向情報と、を含み、
前記通信部は、前記紫外線問合せ情報の送信元に対し、前記第一算出部が算出した前記紫外線強度情報を送信する、
ことを特徴とする紫外線情報提供システム。
【請求項４】
日時に関する情報である日時情報で示される日時及び場所に関する情報である場所情報で示される場所における紫外線強度に関する情報である紫外線強度情報を算出する第一算出部と、
前記日時情報と、前記場所情報と、前記第一算出部が算出した前記紫外線強度情報と、を対応付けて記憶する記憶部と、
外部と通信を行う通信部と、
前記通信部を介して入力された紫外線問合せ情報に対応付けられた前記紫外線強度情報を前記記憶部から抽出する抽出部と、
を備え、
前記紫外線問合せ情報は、前記日時情報と、前記場所情報と、紫外線の照射を受ける照射面が向く方向を示す方向情報と、を含み、
前記通信部は、前記紫外線問合せ情報の送信元に対し、前記抽出部が抽出した前記紫外線強度情報を送信する、
ことを特徴とする紫外線情報提供システム。
【請求項５】
サーバーマシンとクライアントマシンとをネットワークで接続してなる紫外線情報提供システムであって、
前記サーバーマシンは、
日時に関する情報である日時情報と、場所に関する情報である場所情報と、前記日時情報で示される日時及び前記場所情報で示される場所における紫外線強度に関する情報である紫外線強度情報と、を対応付けて記憶する記憶部と、
前記クライアントマシンと通信を行う第一通信部と、
前記第一通信部を介して入力された紫外線問合せ情報に対応付けられた前記紫外線強度情報を算出する第一算出部と、
を備え、
前記第一通信部は、前記クライアントマシンに対し、前記第一算出部が算出した前記紫外線強度情報を送信し、
前記クライアントマシンは、
前記サーバーマシンと通信を行う第二通信部と、
前記第二通信部を介して入力された前記紫外線強度情報を用いて方向特定紫外線強度情報を算出する第二算出部と、
を備え、
前記第二通信部は、前記紫外線問合せ情報を前記サーバーマシンに送信し、
前記紫外線問合せ情報は、前記日時情報と、前記場所情報と、紫外線の照射を受ける照射面が向く方向を示す方向情報と、を含む、
ことを特徴とする紫外線情報提供システム。
【請求項６】
サーバーマシンとクライアントマシンとをネットワークで接続してなる紫外線情報提供システムであって、
前記サーバーマシンは、
日時に関する情報である日時情報で示される日時及び場所に関する情報である場所情報で示される場所における紫外線強度に関する情報である紫外線強度情報を算出する第一算出部と、
前記日時情報と、前記場所情報と、前記第一算出部が算出した前記紫外線強度情報と、を対応付けて記憶する記憶部と、
前記クライアントマシンと通信を行う第一通信部と、
前記第一通信部を介して入力された紫外線問合せ情報に対応付けられた前記紫外線強度情報を前記記憶部から抽出する抽出部と、
を備え、
前記第一通信部は、前記クライアントマシンに対し、前記抽出部が抽出した前記紫外線強度情報を送信し、
前記クライアントマシンは、
前記サーバーマシンと通信を行う第二通信部と、
前記第二通信部を介して入力された前記紫外線強度情報を用いて方向特定紫外線強度情報を算出する第二算出部と、
を備え、
前記第二通信部は、前記紫外線問合せ情報を前記サーバーマシンに送信し、
前記紫外線問合せ情報は、前記日時情報と、前記場所情報と、紫外線の照射を受ける照射面が向く方向を示す方向情報と、を含む、
ことを特徴とする紫外線情報提供システム。
【請求項７】
請求項１から６のいずれか一項に記載の紫外線情報提供システムであって、
前記方向情報が示す方向は、紫外線の照射を受ける照射面が拡がる面と直交する方向である
ことを特徴とする紫外線情報提供システム。
【請求項８】
コンピュータを
日時に関する情報である日時情報と、場所に関する情報である場所情報と、前記日時情報で示される日時及び前記場所情報で示される場所における紫外線強度に関する情報である紫外線強度情報と、を対応付けて記憶する記憶部と、
外部と通信を行う通信部と、
前記通信部を介して入力された紫外線問合せ情報に対応付けられた前記紫外線強度情報を算出する第一算出部と、
前記第一算出部の算出結果を用いて方向特定紫外線強度情報を算出する第二算出部と、
として機能させ、
前記紫外線問合せ情報は、前記日時情報と、前記場所情報と、紫外線の照射を受ける照射面が向く方向を示す方向情報と、を含み、
前記方向特定紫外線強度情報は、前記日時情報で示される日時及び前記場所情報で示される場所における、前記方向情報で示される照射面が受ける紫外線の強度を含む情報であって、
前記通信部は、前記紫外線問合せ情報の送信元に対し、前記第二算出部が算出した前記方向特定紫外線強度情報を送信する、
ことを特徴とする紫外線情報提供プログラム。
【請求項９】
コンピュータを
日時に関する情報である日時情報で示される日時及び場所に関する情報である場所情報で示される場所における紫外線強度に関する情報である紫外線強度情報を算出する第一算出部と、
前記日時情報と、前記場所情報と、前記第一算出部が算出した前記紫外線強度情報と、を対応付けて記憶する記憶部と、
外部と通信を行う通信部と、
前記通信部を介して入力された紫外線問合せ情報に対応付けられた前記紫外線強度情報を前記記憶部から抽出する抽出部と、
前記抽出部が抽出した前記紫外線強度情報を用いて方向特定紫外線強度情報を算出する第二算出部と、
として機能させ、
前記紫外線問合せ情報は、前記日時情報と、前記場所情報と、紫外線の照射を受ける照射面が向く方向を示す方向情報と、を含み、
前記方向特定紫外線強度情報は、前記日時情報で示される日時及び前記場所情報で示される場所における、前記方向情報で示される照射面が受ける紫外線の強度を含む情報であって、
前記通信部は、前記紫外線問合せ情報の送信元に対し、前記第二算出部が算出した前記方向特定紫外線強度情報を送信する、
ことを特徴とする紫外線情報提供プログラム。
【請求項１０】
コンピュータを
日時に関する情報である日時情報と、場所に関する情報である場所情報と、前記日時情報で示される日時及び前記場所情報で示される場所における紫外線強度に関する情報である紫外線強度情報と、を対応付けて記憶する記憶部と、
外部と通信を行う通信部と、
前記通信部を介して入力された紫外線問合せ情報に対応付けられた前記紫外線強度情報を算出する第一算出部と、
として機能させ、
前記紫外線問合せ情報は、前記日時情報と、前記場所情報と、紫外線の照射を受ける照射面が向く方向を示す方向情報と、を含み、
前記通信部は、前記紫外線問合せ情報の送信元に対し、前記第一算出部が算出した前記紫外線強度情報を送信する、
ことを特徴とする紫外線情報提供プログラム。
【請求項１１】
コンピュータを
日時に関する情報である日時情報で示される日時及び場所に関する情報である場所情報で示される場所における紫外線強度に関する情報である紫外線強度情報を算出する第一算出部と、
前記日時情報と、前記場所情報と、前記第一算出部が算出した前記紫外線強度情報と、を対応付けて記憶する記憶部と、
外部と通信を行う通信部と、
前記通信部を介して入力された紫外線問合せ情報に対応付けられた前記紫外線強度情報を前記記憶部から抽出する抽出部と、
として機能させ、
前記紫外線問合せ情報は、前記日時情報と、前記場所情報と、紫外線の照射を受ける照射面が向く方向を示す方向情報と、を含み、
前記通信部は、前記紫外線問合せ情報の送信元に対し、前記抽出部が抽出した前記紫外線強度情報を送信する、
ことを特徴とする紫外線情報提供プログラム。
【発明の詳細な説明】
【技術分野】
【０００１】
本発明は、紫外線情報提供システム及び紫外線情報提供プログラムに関する。
【背景技術】
【０００２】
最近では、人体や生活環境に対する紫外線の影響が知られ、紫外線の照射量について注目され始めている。例えば、特許第５５２４７４１号公報に記載の曝露量推定システムでは、位置を示す位置情報と当該位置に存在する紫外線のような曝露対象の量を示す環境情報とを対応付けて環境情報格納部に格納しておき、環境情報格納部から取得した環境情報とユーザの行動などに応じて定めた曝露率とに基づいて、曝露量の推定を行い、推定した曝露量の数値をユーザに提供する。
【先行技術文献】
【特許文献】
【０００３】
【特許文献１】特許第５５２４７４１号公報
【発明の概要】
【発明が解決しようとする課題】
【０００４】
ところで、特許第５５２４７４１号公報に記載の曝露量推定システムでは、環境情報格納部に格納してある、位置情報で特定される環境情報を用いて曝露量の推定を行うが、この位置情報で特定される環境情報では、情報提供を受けるユーザは、より詳細な情報を容易に得ることができないという問題があった。
【０００５】
本発明は以上のような課題を解決するためになされたものであり、より詳細な紫外線情報をユーザが容易に得ることができる紫外線情報提供システム及び紫外線情報提供プログラムを提供することを目的とする。
【課題を解決するための手段】
【０００６】
上記課題を解決するために、本発明は、日時に関する情報である日時情報と、場所に関する情報である場所情報と、前記日時情報で示される日時及び前記場所情報で示される場所における紫外線強度に関する情報である紫外線強度情報と、を対応付けて記憶する記憶部と、外部と通信を行う通信部と、前記通信部を介して入力された紫外線問合せ情報に対応付けられた前記紫外線強度情報を算出する第一算出部と、前記第一算出部の算出結果を用いて方向特定紫外線強度情報を算出する第二算出部と、を備え、前記紫外線問合せ情報は、前記日時情報と、前記場所情報と、紫外線の照射を受ける照射面が向く方向を示す方向情報と、を含み、前記方向特定紫外線強度情報は、前記日時情報で示される日時及び前記場所情報で示される場所における、前記方向情報で示される照射面が受ける紫外線の強度を含む情報であって、前記通信部は、前記紫外線問合せ情報の送信元に対し、前記第二算出部が算出した前記方向特定紫外線強度情報を送信する、ことを特徴とする。
また、本発明は、日時に関する情報である日時情報で示される日時及び場所に関する情報である場所情報で示される場所における紫外線強度に関する情報である紫外線強度情報を算出する第一算出部と、前記日時情報と、前記場所情報と、前記第一算出部が算出した前記紫外線強度情報と、を対応付けて記憶する記憶部と、外部と通信を行う通信部と、前記通信部を介して入力された紫外線問合せ情報に対応付けられた前記紫外線強度情報を前記記憶部から抽出する抽出部と、前記抽出部が抽出した前記紫外線強度情報を用いて方向特定紫外線強度情報を算出する第二算出部と、を備え、前記紫外線問合せ情報は、前記日時情報と、前記場所情報と、紫外線の照射を受ける照射面が向く方向を示す方向情報と、を含み、前記方向特定紫外線強度情報は、前記日時情報で示される日時及び前記場所情報で示される場所における、前記方向情報で示される照射面が受ける紫外線の強度を含む情報であって、前記通信部は、前記紫外線問合せ情報の送信元に対し、前記第二算出部が算出した前記方向特定紫外線強度情報を送信する、ことを特徴とする。
【発明の効果】
【０００７】
本発明によれば、より詳細な紫外線情報をユーザが容易に得ることができる紫外線情報提供システム及び紫外線情報提供プログラムを提供することができる。
【図面の簡単な説明】
【０００８】
【図１】本発明の実施例１に係る紫外線情報提供システムの構成を示すブロック図である。
【図２】紫外線の照射方向について説明する図である。
【図３】地面と平行な面である照射面Ａに照射される紫外線について説明する図である。
【図４】地面と３０°の角度を成す面である照射面Ｂに照射される紫外線について説明する図である。
【図５】地面と９０°の角度を成す面である照射面Ｃに照射される紫外線について説明する図である。
【図６】図１に示した記憶部１３に記憶する情報の一例を示す図である。
【図７】図１に示した紫外線情報提供システム１０の動作を示すフローチャートである。
【図８】本発明の実施例２に係る紫外線情報提供システムの構成を示すブロック図である。
【図９】図８に示した紫外線情報提供システム１００の動作を示すフローチャートである。
【発明を実施するための形態】
【０００９】
以下、本発明に係る紫外線情報提供システムについて、図面を参照しながら詳細に説明する。なお、以下に示す実施形態は本発明に係るシステムの好適な具体例であり、一般的なハードウェア、ソフトウェア構成に即した種々の限定を付している場合もあるが、本発明の技術範囲は、特に本発明を限定する記載がない限り、これらの態様に限定されるものではない。また、以下に示す実施形態における構成要素は、適宜、既存の構成要素等との置き換えが可能であり、かつ、他の既存の構成要素との組み合わせを含む様々なバリエーションが可能である。したがって、以下に示す実施形態の記載をもって、特許請求の範囲に記載された発明の内容を限定するものではない。
【実施例１】
【００１０】
図１は、本発明の実施例１に係る紫外線情報提供システムの構成を示すブロック図である。本実施例の紫外線情報提供システム１０は、例えば、コンピュータから成るサーバーマシンである。
【００１１】
紫外線情報提供システム１０は、図１に示すように、詳しくは後述する紫外線強度情報１６やそのほかの各種情報を記憶する記憶部１３と、外部と通信を行う通信部１７と、通信部１７を介して受信した紫外線問合せ情報に対応付けられた紫外線強度情報１６を算出する第一算出部１１と、第一算出部１１の算出結果を用いて方向特定紫外線強度情報を算出する第二算出部１２と、を備える。紫外線問合せ情報は、日時情報１４と、場所情報１５と、紫外線の照射を受ける照射面が向く方向を示す方向情報１６ａと、を含む。方向特定紫外線強度情報は、日時情報１４で示される日時及び場所情報１５で示される場所における、方向情報１６ａで示される照射面が受ける紫外線の強度であって、通信部１７は、紫外線問合せ情報の送信元に対し、第二算出部１２が算出した方向特定紫外線強度を示す方向特定紫外線強度情報を送信する。図１に示す各構成は、ハードウェアで構成してもよい。また、図１に示す各構成は、紫外線情報提供システム１０がプログラムを実行することで実現することもでき、記憶部１３は、紫外線情報提供システム１０で実行するプログラムを記憶してもよい。記憶部１３は、データの用途に応じて、揮発性の記憶装置や不揮発性の記憶装置を有する。
【００１２】
なお、紫外線情報提供システム１０において、通信部１７は、紫外線問合せ情報の送信元に対し、第一算出部１１が算出した紫外線強度情報を送信する構成としてもよい。この場合、第二算出部１２の機能に相当する構成を、クライアントマシン２又は３が有することとしてもよい。すなわち、本発明は、サーバーマシンとクライアントマシンとをネットワークで接続してなる紫外線情報提供システムであって、サーバーマシンは、日時に関する情報である日時情報１４と、場所に関する情報である場所情報１５と、前記日時情報で示される日時及び前記場所情報で示される場所における紫外線強度に関する情報である紫外線強度情報１６と、を対応付けて記憶する記憶部１３と、クライアントマシンと通信を行う第一通信部と、第一通信部を介して入力された紫外線問合せ情報に対応付けられた紫外線強度情報１６を算出する第一算出部１１と、を備え、第一通信部は、クライアントマシンに対し、第一算出部１１が算出した紫外線強度情報１６を送信し、クライアントマシンは、サーバーマシンと通信を行う第二通信部と、第二通信部を介して入力された紫外線強度情報１６を用いて方向特定紫外線強度情報を算出する第二算出部（第二算出部１２の機能に相当する構成）と、を備え、第二通信部（第二算出部１２の機能に相当する構成）は、紫外線問合せ情報をサーバーマシンに送信し、紫外線問合せ情報は、日時情報１４と、前記場所情報と、紫外線の照射を受ける照射面が向く方向を示す方向情報１６ａと、を含む、構成としてもよい。
【００１３】
記憶部１３は、日時に関する情報である日時情報１４と、場所に関する情報である場所情報１５と、日時情報１４で示される日時及び場所情報１５で示される場所における紫外線強度に関する情報である紫外線強度情報１６と、を対応付けて記憶する。
【００１４】
紫外線情報提供システム１０の通信部１７は、インターネットなどのネットワーク４に接続されている。ネットワーク４には、ユーザが用いるクライアントマシン２、３が接続されており、クライアントマシン２、３は、ネットワーク４を介して、紫外線情報提供システム１０と通信を行う。
【００１５】
クライアントマシン２又はクライアントマシン３から、紫外線情報提供システム１０へは、ネットワーク４を介して、紫外線問合せ情報が送信される。紫外線問合せ情報は、日時情報１４と、場所情報１５と、紫外線の照射を受ける照射面が向く方向を示す方向情報１６ａと、を含む。方向情報１６ａが示す方向は、紫外線の照射を受ける照射面が拡がる面と直交する方向である。方向情報１６ａについては、図２から図５を参照して後述する。紫外線情報提供システム１０から、紫外線問合せ情報の送信元であるクライアントマシン２又はクライアントマシン３へは、ネットワーク４を介して、算出部１１による算出結果が送信される。
【００１６】
第一算出部１１は、紫外線問合せ情報に含まれる日時情報と場所情報とを用いて詳しくは後述する紫外線強度情報１６を算出する。第二算出部１２は、第一算出部１１による算出結果を用いて、方向情報１６ａで示される照射面が受ける紫外線の強度を含む情報である方向特定紫外線強度情報を算出する。通信部１７は、第二算出部１２が算出した方向特定紫外線強度を示す方向特定紫外線強度情報を、ネットワーク４を介して、紫外線問合せ情報の送信元であるクライアントマシン２又はクライアントマシン３に送信する。
【００１７】
以下、方向情報１６ａについて説明する。図２は、紫外線の照射方向について説明する図である。図３は、地面と平行な面である照射面Ａに照射される紫外線について説明する図である。図４は、地面と３０°の角度を成す面である照射面Ｂに照射される紫外線について説明する図である。図５は、地面と９０°の角度を成す面である照射面Ｃに照射される紫外線について説明する図である。図３、図４及び図５では、紫外線の照射を受ける照射面が向く方向、すなわち方向情報１６ａで示される方向を「照射面の方向」と記載している。
【００１８】
図２に示すように、地球上に照射される紫外線は、太陽の向きから照射される直達紫外線のほか、太陽の向き以外の向きから照射される天空紫外線が存在する。天空紫外線は、天空全体から照射面に対して照射される。地面と平行な面である照射面Ａに対しては、図３に示すように、天空全体から天空紫外線及び直達紫外線が照射される。
【００１９】
また、地面と３０°の角度を成す照射面Ｂに対しては、図４に示すように、天空全体のうち照射面Ｂが向く方向から天空紫外線及び直達紫外線が照射される。また、地面と９０°の角度を成す照射面Ｃに対しては、図５に示すように、太陽の向きが照射面Ｃの裏側であるため直達紫外線は照射されず、天空全体のうち照射面Ｃが向く方向から天空紫外線が照射される。また、照射面に照射される紫外線は、照射面に直接照射される天空紫外線及び直達紫外線のほか、地面などで反射されて照射面に照射される紫外線も存在する。
【００２０】
図３、図４及び図５を参照してわかるように、照射面が向く方向によって、照射される紫外線の強度が大きく異なる。そこで、本実施例では、照射面が向く方向ごとに異なる方向特定紫外線強度情報を算出し、これを、紫外線問合せ情報の送信元であるクライアントマシン２又はクライアントマシン３に提供する。
【００２１】
図６は、図１に示した記憶部１３に記憶する情報の一例を示す図である。記憶部１３は、例えばデータベース形式で、図６に示す情報を記憶する。記憶部１３は、第１の主キーとして、日時情報１４を記憶する。日時情報１４は、年、月、日及び時を含んでもよい。記憶部１３は、第２の主キーとして、場所情報１５を記憶する。場所情報１５は、例えば東経及び北緯を用いて、地球上の位置を特定する情報である。
【００２２】
記憶部１３は、格納値である紫外線強度情報１６として、第１の主キー及び第２の主キーでの太陽立体角を記憶する。記憶部１３は、格納値である紫外線強度情報１６として、第１の主キー及び第２の主キーでの直達紫外線強度を記憶する。記憶部１３は、格納値である紫外線強度情報１６として、第１の主キー及び第２の主キーでの天空紫外線強度を記憶する。記憶部１３は、格納値である紫外線強度情報１６として、第１の主キー及び第２の主キーでのアルベド値を記憶する。なお、アルベド値は、照射された紫外線強度に対する、反射した紫外線強度の比である。例えば、場所情報１５が或る地域においては、日時情報１４が夏である日時には、地面は土であってアルベド値が低く、日時情報１４が冬である日時には、地面は雪面であってアルベド値が高い。図６に示した各値は、例えば実測値を収集して、記憶部１３に記憶する。紫外線強度情報１６に含まれる方向情報１６ａは、図６に示した格納値に含まれる。紫外線強度情報１６に含まれる情報は、例えば放射伝達方程式を解いて算出する値や、放射伝達方程式を解く過程で算出する値を含む。
【００２３】
図７は、図１に示した紫外線情報提供システム１０の動作を示すフローチャートである。ステップＳ７１では、ネットワーク４を介して、クライアントマシン２又はクライアントマシン３からの紫外線問合せ情報を受信したか否かを判断する。紫外線問合せ情報を受信した場合には（ステップＳ７１：Ｙｅｓ）、ステップＳ７２に進み、紫外線問合せ情報を受信しない場合には（ステップＳ７１：Ｎｏ）、ステップＳ７１に戻る。
【００２４】
ステップＳ７２では、ステップＳ７１で受信した紫外線問合せ情報に基づいて、紫外線問合せ情報に含まれる日時情報１４で示される日時に、紫外線問合せ情報に含まれる場所情報１５で示される場所で受ける紫外線の強度を含む情報である紫外線強度情報１６を算出し、記憶部１３に記憶する。紫外線強度情報１６は、例えば、放射伝達方程式を用いて算出する。
【００２５】
ステップＳ７３では、ステップＳ７２で算出した紫外線強度情報１６に対し、方向情報１６を入力値とした数学的計算を行うことで、日時情報１４で示される日時に、紫外線問合せ情報に含まれる場所情報１５で示される場所で、方向情報１６ａで示される照射面が受ける紫外線強度情報である、方向特定紫外線強度情報を算出する。
【００２６】
ステップＳ７４では、ステップＳ７３で算出した方向特定紫外線強度を示す方向特定紫外線強度情報を、今回の紫外線問合せ情報の送信元であるクライアントマシン２又はクライアントマシン３に、ネットワーク４を介して送信する。クライアントマシン２又はクライアントマシン３は、日時情報１４、場所情報１５及び方向情報１６ａを含む紫外線問合せ情報を紫外線情報提供システム１０に送信するだけで、方向特定紫外線強度情報を得ることができ、より詳細な紫外線情報を容易に得ることができる。クライアントマシン２又はクライアントマシン３は、紫外線情報提供システム１０から得た方向特定紫外線強度情報を用いて、エンドユーザに対して様々なアプリケーションを提供することができる。
【実施例２】
【００２７】
図８は、本発明の実施例２に係る紫外線情報提供システムの構成を示すブロック図である。本実施例の紫外線情報提供システム１００は、例えば、コンピュータから成るサーバーマシンである。
【００２８】
紫外線情報提供システム１００は、図８に示すように、日時情報と場所情報とを用いて詳しくは後述する紫外線強度情報１１６を予め算出する第一算出部１１０と、第一算出部１１０が算出した紫外線強度情報１１６やそのほかの各種情報を記憶する記憶部１１３と、外部と通信を行う通信部１１７と、通信部１１７を介して入力された紫外線問合せ情報に対応付けられた紫外線強度情報１１６を記憶部１１３から抽出する抽出部１１１と、抽出部１１１が抽出した紫外線強度情報１１６を用いて方向特定紫外線強度情報を算出する第二算出部１１２と、を備える。紫外線問合せ情報は、日時情報１１４と、場所情報１１５と、方向情報１１６ａと、を含む。方向特定紫外線強度情報は、日時情報１１４で示される日時及び場所情報１１５で示される場所における、方向情報１１６ａで示される照射面が受ける紫外線の強度を含む情報である。通信部１１７は、紫外線問合せ情報の送信元に対し、第二算出部１１２が算出した方向特定紫外線強度情報を送信する。図８に示す各構成は、ハードウェアで構成してもよい。また、図８に示す各構成は、紫外線情報提供システム１００がプログラムを実行することで実現することもでき、記憶部１１３は、紫外線情報提供システム１００で実行するプログラムを記憶してもよい。記憶部１１３は、データの用途に応じて、揮発性の記憶装置や不揮発性の記憶装置を有する。
【００２９】
なお、紫外線情報提供システム１００において、通信部１１７は、紫外線問合せ情報の送信元に対し、抽出部１１１が抽出した紫外線強度情報を送信する構成としてもよい。この場合、第二算出部１１２の機能に相当する構成を、クライアントマシン２又は３が有することとしてもよい。すなわち、本発明は、サーバーマシンとクライアントマシンとをネットワークで接続してなる紫外線情報提供システムであって、サーバーマシンは、日時に関する情報である日時情報１１４で示される日時及び場所に関する情報である場所情報１１５で示される場所における紫外線強度に関する情報である紫外線強度情報１１６を算出する第一算出部１１０と、日時情報１１４と、場所情報１１５と、第一算出部１１０が算出した紫外線強度情報１１６と、を対応付けて記憶する記憶部１１３と、クライアントマシンと通信を行う第一通信部と、第一通信部を介して入力された紫外線問合せ情報に対応付けられた紫外線強度情報１１６を記憶部１１３から抽出する抽出部１１１と、を備え、第一通信部は、クライアントマシンに対し、抽出部１１１が抽出した紫外線強度情報１１６を送信し、クライアントマシンは、サーバーマシンと通信を行う第二通信部と、第二通信部を介して入力された紫外線強度情報１１６を用いて方向特定紫外線強度情報を算出する第二算出部（第二算出部１１２の機能に相当する構成）と、を備え、第二通信部は、紫外線問合せ情報をサーバーマシンに送信し、紫外線問合せ情報は、日時情報１１４と、場所情報１１５と、紫外線の照射を受ける照射面が向く方向を示す方向情報１１６ａと、を含む、構成としてもよい。
【００３０】
記憶部１１３は、日時に関する情報である日時情報１１４と、場所に関する情報である場所情報１１５と、日時情報１１４で示される日時及び場所情報１１５で示される場所における紫外線強度に関する情報である紫外線強度情報１１６（第一算出部１１０が算出した紫外線強度情報１１６）と、を対応付けて記憶する。
【００３１】
紫外線情報提供システム１００の通信部１１７は、インターネットなどのネットワーク４に接続されている。ネットワーク４には、ユーザが用いるクライアントマシン２、３が接続されており、クライアントマシン２、３は、ネットワーク４を介して、紫外線情報提供システム１００と通信を行う。
【００３２】
クライアントマシン２又はクライアントマシン３から、紫外線情報提供システム１００へは、ネットワーク４を介して、紫外線問合せ情報が送信される。紫外線問合せ情報は、日時情報１１４と、場所情報１１５と、方向情報１１６ａと、を含む。紫外線情報提供システム１００から、紫外線問合せ情報の送信元であるクライアントマシン２又はクライアントマシン３へは、ネットワーク４を介して、抽出部１１２による抽出結果である方向特定紫外線強度情報が送信される。
【００３３】
なお、本実施例において、記憶部１１３に記憶する情報の一例は、図６に示した情報である。
【００３４】
図９は、図８に示した紫外線情報提供システム１００の動作を示すフローチャートである。ステップＳ９１では、日時情報と場所情報を用いて、すべての日時におけるすべての場所の紫外線強度情報１１６が含む情報を算出する。この紫外線強度情報１１６が含む情報の算出には、例えば、放射伝達方程式を用いる。すなわち、紫外線強度情報１１６が含む情報は、例えば放射伝達方程式を解いて算出する値や、放射伝達方程式を解く過程で算出する値を含む。ステップＳ９２では、ステップＳ９１で算出した紫外線強度情報１１６が含む情報を記憶部１１３に記憶する。
【００３５】
続いて、ネットワーク４を介して、クライアントマシン２又はクライアントマシン３からの紫外線問合せ情報を受信した場合には（ステップＳ９３：Ｙｅｓ）、ステップＳ９４に進み、紫外線問合せ情報を受信しない場合には（ステップＳ９３：Ｎｏ）、ステップＳ９０に戻る。なお、紫外線強度情報１１６が含む情報の算出、算出した情報の記憶部１３への記憶は、クライアントマシン２又は３からの紫外線問合せ情報を受信する処理を実施する前に、すべて済ませてしまっておいてもよいし、例えば今まで入手不可能だった地域のデータが新たに入手できた場合などにはその都度更新してもよい。
【００３６】
ステップＳ９４では、クライアントマシン２又はクライアントマシン３からの受信データに含まれる紫外線問合せ情報に基づき、記憶部１１３から紫外線強度情報１１６の抽出を行う。すなわち、紫外線問合せ情報に含まれる日時情報１１４、場所情報１１５に該当する紫外線強度情報１１６を、記憶部１１３から抽出する。ステップＳ９４ではさらに、抽出した紫外線強度情報１１６の値に対し、方向情報１１６ａを入力値とした数学的計算を行うことで、日時情報１４で示される日時に、紫外線問合せ情報に含まれる場所情報１５で示される場所で、方向情報１１６ａで示される照射面が受ける紫外線の強度を含む情報である方向特定紫外線強度情報を算出する。
【００３７】
ステップＳ９５では、ステップＳ９４で算出した方向特定紫外線強度情報を、今回の紫外線問合せ情報の送信元であるクライアントマシン２又はクライアントマシン３に、ネットワーク４を介して送信する。クライアントマシン２又はクライアントマシン３は、日時情報１１４、場所情報１１５及び方向情報１１６ａを含む紫外線問合せ情報を紫外線情報提供システム１００に送信するだけで、方向特定紫外線強度情報を得ることができ、より詳細な紫外線情報を容易に得ることができる。クライアントマシン２又はクライアントマシン３は、紫外線情報提供システム１００から得た方向特定紫外線強度情報を用いて、エンドユーザに対して様々なアプリケーションを提供することができる。
【００３８】
また、本実施例では、紫外線強度情報１１６を予め算出しておくので、クライアントマシン２又はクライアントマシン３から紫外線問合せ情報を受信してから算出する場合と比べて、応答が早く、より高い即時性をもって方向特定紫外線強度情報を提供することができる。
【００３９】
以上、本発明の好ましい実施形態について説明したが、本発明は、これらの実施形態に限定されるものではない。本発明の目的は、上述の実施例の機能を実現するプログラムコード（コンピュータプログラム）を格納した記憶媒体をシステムあるいは装置に供給し、供給されたシステムあるいは装置のコンピュータが記憶媒体に格納されたプログラムコードを読み出し実行することによっても達成される。この場合、記憶媒体から読み出されたプログラムコード自体が上述した実施例の機能を実現することになり、そのプログラムコードを記憶した記憶媒体は本発明を構成することになる。また、上述した実施形態では、コンピュータがプログラムを実行することにより、各処理部として機能するものとしたが、処理の一部または全部を専用の電子回路（ハードウェア）で構成するようにしても構わない。本発明は、説明された特定の実施例に限定されるものではなく、特許請求の範囲に記載された本発明の趣旨の範囲内において、種々の変形・変更が可能である。
【符号の説明】
【００４０】
２、３  クライアントマシン
４  ネットワーク
１０  紫外線情報提供システム
１１  第一算出部
１２  第二算出部
１３  記憶部
１７  通信部
【図１】
2019211883.tif 000003
【図２】
2019211883.tif 000004
【図３】
2019211883.tif 000005
【図４】
2019211883.tif 000006
【図５】
2019211883.tif 000007
【図６】
2019211883.tif 000008
【図７】
2019211883.tif 000009
【図８】
2019211883.tif 000010
【図９】
2019211883.tif 000011